(57)【特許請求の範囲】
【請求項１】
パケット化されたデータを送信および受信する移動通信装置に接続された端末装置を有するワイヤレス通信ネットワークにおいて、移動ノード登録を呼出す方法であって、
前記移動通信装置を前記ワイヤレス通信ネットワークとインタフェースし、
前記移動通信装置により、前記ワイヤレス通信ネットワークからのネットワーク移動情報を受信し、
前記移動通信装置により受信された前記ネットワーク移動情報に応答して、前記移動通信装置により、前記ワイヤレス通信ネットワークからのネットワークＩＰアドレス情報を請求し、
前記移動通信装置により、前記ワイヤレス通信ネットワークからのネットワークＩＰアドレス情報を受信し、
前記移動通信装置により受信された前記ネットワークＩＰアドレス情報に応答して、前記端末装置により、移動ノード登録を開始することを含む方法。
【請求項２】
前記移動通信装置により、ＩＰアドレス要求に含まれたＩＰアドレスに対する前記送信されたパケット化されたデータを監視し、
前記ＩＰアドレス要求が固定ＩＰアドレスに対するものである場合、前記移動通信装置により、ネットワーク移動情報を待つことをさらに含む請求項１に記載の方法。
【請求項３】
ワイヤレス通信ネットワークにおいて移動ノード登録を自動的に呼出すシステムであって、
前記ワイヤレス通信ネットワークと無線リンク上でインタフェースし、前記ワイヤレス通信ネットワークからネットワーク移動情報を受信する移動通信装置と、
前記移動通信装置に接続されたＩＰアドレスを有し、前記ＩＰアドレスと関連したパケット化されたデータを送信および受信し、前記移動通信装置からの前記ネットワーク移動情報の受信に応答して移動ノード登録を開始する端末装置とを備え、
前記移動通信装置はＩＰアドレス要求に含まれるＩＰアドレスに対する前記端末装置により送信された前記パケット化されたデータを監視する手段を含み、
要求されたＩＰアドレスが固定ＩＰアドレスである場合、前記移動通信装置により、ネットワーク移動情報を待つ、システム。
【請求項４】
ワイヤレス通信ネットワークにおいて移動ノード登録を自動的に呼出すシステムであって、
前記ワイヤレス通信ネットワークと無線リンク上でインタフェースし、前記ワイヤレス通信ネットワークからネットワーク移動情報を受信する移動通信装置と、
前記移動通信装置に接続されたＩＰアドレスを有し、前記ＩＰアドレスと関連したパケット化されたデータを送信および受信する端末装置であって、前記ネットワーク移動情報の受信に応答して移動ノード登録を開始しかつ前記ＩＰアドレスが固定ＩＰアドレスである端末装置とを備え、
前記移動通信装置はＩＰアドレス要求に含まれるＩＰアドレスに対する前記端末装置により送信された前記パケット化されたデータを監視する手段を含み、
前記移動通信装置は前記ネットワーク移動情報の受信に応答してネットワークＩＰアドレス情報を前記ワイヤレス通信ネットワークに請求する手段を含むシステム。
【請求項５】
ワイヤレス通信ネットワークにおいて移動ノード登録を自動的に呼出すシステムであって、
前記ワイヤレス通信ネットワークと無線通信リンク上でインタフェースし、前記ワイヤレス通信ネットワークからネットワーク移動情報を受信する移動通信装置と、
前記移動通信装置と接続されたホームエージェントと関係した固定ＩＰアドレスを有する端末装置とを備え、
前記端末装置は、ワイヤレス通信リンクを介して、インターネットプロトコルを使用して、インターネットワーキング機能にパケット化されたデータを送信し、かつインターネットワーキング機能からパケット化されたデータを受信し、前記端末装置は、前記ネットワーク移動情報の受信に応答して移動ノード登録を開始するシステム。
【請求項６】
前記ワイヤレス通信ネットワークがＣＤＭＡ無線ネットワークである請求項５に記載のシステム。
【請求項７】
前記ネットワーク移動情報が、前記移動通信装置により受信されたワイヤレス通信ネットワークシステムＩＤにおいて検出された変更を示すインジケーションを含む請求項６に記載のシステム。
【請求項８】
前記ネットワーク移動情報が、前記移動通信装置により受信されたワイヤレス通信ネットワークＩＤにおいて検出された変更を示すインジケーションを含む請求項６に記載のシステム。
【請求項９】
前記端末装置が、前記ホームエージェントまたは複数の外部エージェントの１つを識別するエージェントの広告メッセージを請求することにより、移動ノード登録を開始する請求項５に記載のシステム。
【発明の詳細な説明】
【０００１】
（発明の背景）
Ｉ．発明の分野
本発明は一般に、ワイヤレス通信の分野に関する。特に本発明は、移動端末装置を自動的に呼出して、ワイヤレス通信ネットワークにおけるＩＰ移動性サポートを開始する、新規の改良された方法とシステムに関するものである。
ＩＩ．関連技術の説明
ワイヤレス通信およびコンピュータ関連技術の最近の技術革新、並びに今までにはなかったインターネット加入者の増加は、モバイルコンピューティングを容易にした。実際には、モバイルコンピューティングの普及は、移動ユーザに高度のサポートを提供するために、現在のインターネットインフラストラクチャに過大な要求を強いている。このインフラストラクチャの原動力は、ローカルエリアネットワーク（ＬＡＮ）間のパケット（データグラム）のアドレッシング（アドレス指定）とルーティング（経路指定）を含む各種サービスを提供するパケット向けインターネットプロトコル（ＩＰ）である。ＩＰプロトコルはＲｅｑｕｅｓｔ  Ｆｏｒ  Ｃｏｍｍｅｎｔ  ７９１（ＲＦＣ  ７９１）の、表題“インターネット  プロトコル  ＤＡＲＰＡ  インターネット  プログラム  プロトコル仕様”（１９８１年９月日付け）に規定されており、この規定は本明細書にも組みこまれている。
【０００２】
実際には、ＩＰプロトコルによれば、データはＩＰパケット内に封入されて伝送される。アドレッシングとルーティング情報はパケットのヘッダに付加される。ＩＰヘッダは、送信と受信ホストを指定する３２ビットアドレスを含む。これらのアドレスは中間ルータで使用され、これらのルータは、パケットがネットワークを介して目的アドレスの最終宛先に向かうパスを選択する。ＩＰアドレッシングの基本概念では、ＩＰアドレスの初期接頭語を使用してルーティング決定を一般化できる。これら接頭語は、インターネット上の特定ホストの位置に関する暗示の地理的情報を含む。言い替えると、インターネット上のすべてのルータは“１２９．４６”で始まる宛先ＩＰアドレスを持つパケットを受取ると、そのルータはパケットを、Ｃａｌｉｆｏｒｎｉａ州Ｓａｎ  ＤｉｅｇｏのＱＵＡＬＣＯＭＭ，Ｉｎｃ．ネットワークに向けて、特定の方向に転送する。この結果、ＩＰプロトコルにより、世界中のすべてのインターネットノードにおいて発生するパケットを世界中のすべての他のインターネットノードにルーティングでき、また発信当事者は宛先相手のＩＰアドレスを認識できる。
【０００３】
理論的には、モバイルコンピューティングは、時間とその現在の接続点に関係なく、シームレスかつトランスペアレントなインターネットアクセスをユーザに提供する。このアクセスは、移動ユーザがネットワーク間をローミングまたは移動するときに、移動ユ−ザに対し不便または認識できる差異を与えずに連続的にインターネット接続を存続する、という点ではシームレスでなければならない。このアクセスは、ユーザに対しトランスペアレントであり、その結果、移動ユーザが種々のネットワーク間をローミングするときに、アプリケーションが再コンパイル、再構成または再実行される必要が無いものでなければならない。従来のインターネットプロトコル（例えば、ＴＣＰ／ＩＰ、ＩＰＸ、ＡｐｐｌｅｔａｌｋＴＭ等）は、ひいき目みても、ネットワーク間を移動する移動ユーザを扱うには不便である。この理由は、前述のように、インターネットルーティングに使用されるＩＰアドレッシング方式が本質的に地理的情報を含むからである。移動ユーザが固定ＩＰアドレスを使用してその移動端末を識別することを希望する場合、その端末が固定ＩＰアドレス（即ち、その“ホーム”ネットワーク）に対応するネットワークから遠方に離れているときは、そのユーザに宛てられたＩＰパケットは移動端末にルーティングされない。端末がそのアドレスを変更してこれを調整しようとすると、すべての接続が失なわれる。
【０００４】
例として、ユーザがその移動端末をＳａｎ  ＤｉｅｇｏのＱＵＡＬＣＯＭＭ，Ｉｎｃの“ホーム”ネットワークから切離し、ユーザのＱＵＡＬＣＯＭＭ割当て固定ＩＰアドレスを維持しながら、Ｃａｌｉｆｏｒｎｉａ州Ｐａｌｏ  ＡｌｔｏのＳｔａｎｆｏｒｄ  Ｕｎｉｖｅｒｓｉｔｙのネットワークに接続すると仮定しよう。従来は、移動端末に宛てられたすべてのＩＰパケットは、移動端末の固定ＩＰアドレス内の地理的位置情報暗示のために、Ｓａｎ  ＤｉｅｇｏのＱＵＡＬＣＯＭＭ，Ｉｎｃのネットワークにルーティングされる。このようなＩＰパケットは、その“ホーム”ネットワークから遠方に離れている間は移動端末に配信されない、この状態は、特定のメカニズムを所定位置に置いて、ＱＵＡＬＣＯＭＭのネットワークからＰａｌｏ  ＡｌｔｏのＳｔａｎｆｏｒｄ  Ｕｎｉｖｅｒｓｉｔｙネットワークの移動端末の現在の接続点にＩＰパケットを転送またはルーティングするまで続く。
【０００５】
シームレスおよびトランスペアレントなインターネットアクセスの必要性に適合するために、Ｒｅｑｕｅｓｔ  Ｆｏｒ  Ｃｏｍｍｅｎｔ  ２００２（ＲＦＣ  ２００２）の表題“ＩＰ移動性サポート”（１９９６年１０月日付）はプロトコル手法を規定しており、この規定によりそれらの特定の接続点に関係なくＩＰパケットを移動端末にトランスペアレントに転送できる、またＲＦＣ２００２は本明細書に引用文献として組み込まれている。これらの移動ＩＰ手法を使用することにより、インターネットに対する現在の接続点に関係なく、各移動端末は常にその“ホーム”ネットワークＩＰアドレスによって識別される。移動端末がホームＩＰネットワーク内に置かれているときは、その端末は移動ＩＰ手法を使用せずに動作する。しかし、移動端末がそれ以上ホームＩＰネットワーク内で動作できず、“外部ＩＰネットワーク”に接続する以外に方法が無いことを検出すると、この端末は、ＩＰパケットをその現在の接続点にルーティングするのに必要な転送情報を提供する、外部ネットワークの“ケア・オブ・アドレス（ｃａｒｅ  ｏｆ  ａｄｄｒｅｓｓ）”を得る。このケア・オブ・アドレスは外部ネットワーク上のエージェント、即ちそのエージェントの広告メッセージを介して“外部エージェント”（例えば、外部ネットワーク中のルータ）により提供される。移動ＩＰ手法では、希望するケア・オブ・アドレスを登録するため、移動端末が登録要求メッセージを“移動エージェント”に送ることが必要である。この“移動エージェントは、”ホームエージェント“（即ち、端末のホームネットワーク）または”外部エージェント“のどちらであってもよく、また登録要求を許可または拒絶する登録回答を返送する役割を負う。許可された場合は、ホームエージェントは、手法呼出し”ＩＰトンネリング“を使用して、移動端末宛てのＩＰパケットを転送する。ＩＰトンネリングは、新しいＩＰヘッダを付加しているホームエージェントを含み、この新しいＩＰヘッダは、移動端末のホームＩＰアドレスに対応する宛先アドレスを持つすべての到達ＩＰパケットに対するケア・オブ・アドレスを含む。ケア・オブ・アドレスに到達後、ケア・オブ・アドレスにおける外部エージェントはＩＰトンネリングヘッダを取除き、ＩＰパケットを、インターネットに対する現在の接続点にある移動端末に配信する。
【０００６】
このように、移動ＩＰは、移動端末のＩＰアドレスを変更することなく、異なる外部ネットワークおよび各種のそれらネットワークの接続点を通してローミングする移動端末をサポートする。この機能は、幾つかの利点を有する。第１は、インターネット上の別の場所の他のノードが、移動端末の位置に関係なく、周期的に“拡張”サービス（例えば、株価、ｅメール等）を移動端末に送ることができる。これにより、移動ユーザがユーザのホームネットワークから情報を検索する必要が無くなる。第２は、移動ＩＰにより、すべての発信当事者は、移動端末が現在接続されているサブネットワークのトラックを維持することを必要とせずに、移動端末が希望する限りの多くの異なるサブネットワークに移動できる。第３は、設計により、移動ＩＰは各種ネットワークとメディアとの互換性を持ち、シームレスかつトランスペアレントなインターネットアクセスを保証する。例えば、パケットがホームのＥｔｈｅｒｎｅｔネットワークセグメントから外部ワイヤレスＬＡＮに移動するときに、サービスを著しく妨害せずに、移動ＩＰは移動端末で発生するパケットトラフィックをサポートできる。
【０００７】
前述のように、現在の傾向は、移動ユーザがセルラまたは携帯電話などのポータブルワイヤレス通信装置と共にラップトップまたはパームトップコンピュータなどのモバイルコンピュータを使用して、インターネットにアクセスする。分かり易くいうと、ユーザは従来“有線”通信装置を使用して地上基地ネットワークにコンピュータを接続するのと同様に、移動ユーザはワイヤレス通信装置を使用して、一般に“移動局”（ＭＳ）と呼ばれるネットワークに移動端末を接続する。本明細書での使用においては、移動局またはＭＳは、移動中または非特定点における休止の間に使用されることを意図する公衆ワイヤレス無線ネットワーク内のすべての加入者局を指す。ＭＳ装置には、携帯ユニット（例えばハンドヘルド・パーソナルフォン）および自動車内の固定設置ユニット（例えば、据置き移動電話ユニット）、並びにワイヤレス加入者回線（ＷＬＬ）電話を含む。
【０００８】
図１（従来技術）はワイヤレスデータ通信システムの高レベルのブロック図を示し、図においては、移動端末装置のＴＥ２装置１０２（例えば移動端末、ラップトップ、またはパームトップコンピュータ）が、ワイヤレス通信システムを介して相互作用機能（ＩＷＦ）１０８と通信している。ワイヤレス通信システムは、ワイヤレス通信装置のＭＴ２装置１０４、および局／移動交換機センター（ＢＳ／ＭＳＣ）１０６を含む。図１では、ＩＷＦ１０８はインターネットへのアクセスポイントとしての役割を果たす。ＩＷＦ１０８は、当技術分野では既知の従来のワイヤレス基地局にもなるＢＳ／ＭＳＣに接続および共通に配置される。ＴＥ２装置１０２はＭＴ２装置１０４に電気的に接続される、さらにＭＴ２装置はＢＳ／ＭＳＣ１０６とＩＷＦ１０８と“ワイヤレス”に通信する。ＴＥ２装置１０２とＭＴ２装置１０４は単一ユニットに一体化するか、または据付け移動電話におけるのと同様に分離もできる、この分離の場合はラップトップがＴＥ２装置１０２であり、またトランシーバがＭＴ２装置１０４である。ＴＥ２装置１０２とＭＴ２装置１０４の組合せ（一体または分離にかかわらず）もまた、移動ノードと呼ばれる。
【０００９】
ＴＥ２装置１０２とＩＷＦ１０８間のデータ通信を扱う他のプロトコルが存在する。例えば、ＴＩＡ（Ｔｅｌｅｃｏｍｍｕｎｉｃａｔｉｏｎｓ  Ｉｎｄｕｓｔｒｙ  Ａｓｓｏｃｉａｔｉｏｎ）／ＥＩＡ（Ｅｌｅｃｔｒｏｎｉｃｓ  Ｉｎｄｕｓｔｒｙ  Ａｓｓｏｃｉａｔｉｏｎ）暫定標準ＩＳ−５、表題“デュアルモード広帯域スペクトル拡散・セルラシステムに対する移動局基地の局互換標準”（１９９３年７月発行、この標準も本明細書に引用文献として組み込まれる）が、広帯域スペクトル拡散・ワイヤレス通信システムに対する一般的標準を提供している。また、標準ＴＩＡ／ＥＩＡ  ＩＳ−７０７．５、表題“広帯域スペクトル拡散システムに対するデータサービスオプション：パケットデータサービス”（１９９８年２月発行）が、ＴＩＡ／ＥＩＡ  ＩＳ−９５広帯域スペクトル拡散システムのパケットデータ伝送機能をサポートするための必要条件を規定している、ＢＳ／ＭＳＣ  １０６とＩＷＦ  １０８もその一部である。ＩＳ−７０７．５は、ＢＳ／ＭＳＣ  １０６を介してＴＥ２装置１０２とＩＷＦ  １０８間を通信するのに使用できるパケットデータ伝送サービスを規定している。この標準は、ＲＦＣ  ２００２の移動ＩＰサービスを含む、多重パケットデータサービスに適用できる手順を提供している。
【００１０】
ＩＳ−７０７．５は２つのプロトコルオプションモデルも導入している、このオプションモデルは、ＴＥ２装置１０２とＭＴ２装置１０４間のリンク（Ｒｍインタフェース）と、ＭＴ２装置１０４とＢＳ／ＭＳＣ  １０６間のリンク（Ｕｍインタフェース）と、ＢＳ／ＭＳＣ  １０６とＩＷＦ  １０８間のリンク（Ｌインタフェース）とに関する通信プロトコルの必要条件を提供している。第１プロトコルオプションモデルであるリレーモデルは、ＰＰＰリンクがＴＥ２装置１０２とＩＷＦ装置１０８間に存在する場合の状態を表す。この状態では、ＭＴ２装置１０４は単に、ＴＥ２装置１０２ＰＰＰフレームをＵｍインタフェースを介して伝送し、またＩＷＦフレームをＲｍインタフェースを介して伝送するパイプとして機能するだけである。これに対し、第２プロトコルオプションモデルであるネットワークモデルは、２つの独立したＰＰＰリンクがＴＥ２装置１０２とＩＷＦ装置１０８間、およびＭＴ２装置１０４とＩＷＦ  １０８間に存在する場合の状態を表す。この場合、ＭＴ２装置１０４はすべての受信ＰＰＰパケットをアンフレーミング（ｕｎ−ｆｒａｍｉｎｇ：フレームを分解）し、それらをリフレーミング（ｒｅ−ｆｒａｍｉｎｇ：フレームに再組立）した後に最終宛先に転送する役割を果たす。この場合、ＭＴ２装置１０４は、各種形態の移動性管理およびネットワークアドレス管理の役割を担う。
【００１１】
図２（従来技術）はＩＳ−７０７．５リレーモデルの各エンティティのプロトコルスタックの図である。図２は、ＩＳ−７０７．５の図１．４．２．２−１にほぼ一致している。プロトコルスタックは図の左端にあり、従来の垂直フォーマットで示されており、ＴＥ２装置１０２で動作するプロトコル層を示す。ＴＥ２プロトコルスタックは、Ｒｍインタフェースを介してＭＴ２装置１０４プロトコルスタックに論理的に接続されていることを示している。ＭＴ２装置１０４は、Ｕｍインタフェースを介してＢＳ／ＭＳＣ  １０６プロトコルスに論理的に接続されていることを示している。またＢＳ／ＭＳＣ  １０６プロトコルスタックは、Ｌインタフェースを介してＩＷＦ  １０８プロトコルスタックに論理的に接続されていることを示している。
【００１２】
図２に示される動作は次のようである：ＴＥ２装置１０２で動作するアプリケーションプログラムのような上位層プロトコル２０２エンティティは、インタ-ネットを介してＩＰパケットを送信する必要がある。代理のアプリケーションはウェブブラウザプログラム（例えば、Ｎｅｔｓｃａｐｅ  ＮａｖｉｇａｔｏｒＴＭ  Ｍｉｃｒｏｓｏｆｔ  Ｉｎｔｅｒｎｅｔ  ＥｘｐｌｏｒｅｒＴＭ等）であってもよい。ウェブブラウザは、ハイパーリンク“ｈｔｔｐ／／ｗｗｗ．Ｑｕａｌｃｏｍｍ．ｃｏｍ／”のようなＵＲＬ（Ｕｎｉｖｅｒｓａｌ  Ｒｅｓｏｕｒｃｅ  Ｌｏｃａｔｏｒ）を要求する。ＤＮＳ（Ｄｏｍａｉｎ  Ｎａｍｅ  Ｓｙｓｔｅｍ）プロトコルも、上位層プロトコル２０２内にあり、テキストのホスト名を３２ビット数値のＩＰアドレスに変換する。ＨＴＴＰ（Ｈｙｐｅｒｔｅｘｔ  Ｔｒａｎｓｆｅｒ  Ｐｒｏｔｏｃｏｌ）も、上位層プロトコル２０２内にあり、要求されたＵＲＬに対するＧＥＴメッセージを構成し、さらにＴＣＰ（Ｔｒａｎｓｍｉｓｓｉｏｎ  Ｃｏｎｔｒｏｌ  Ｐｒｏｔｏｃａｌ）を使用してそのメッセージを送出し、またＴＣＰを使用してＨＴＴＰを操作する。
【００１３】
ＴＣＰプロトコルも、上位層プロトコル２０２内にあり、ＤＮＳで指定されたＩＰアドレスへのコネクションをオープンにし、ＨＴＴＰ  ＧＥＴメッセージを送信する。ＴＣＰプロトコルは、ＩＰプロトコルを使用してメッセージを転送にすることを指定する。ＩＰプロトコルは、ネットワーク層プロトコル２０４であり、ＴＣＰパケットを指定されたＩＰアドレスに送信する。ＰＰＰ（Ｐｏｉｎｔ  ｔｏ  Ｐｏｉｎｔ）は、リンク層プロトコル２０６であり、ＩＰ／ＴＣＰ／ＨＴＴＰパケットをコード化して、それをリレープロトコル２０８  ＥＩＡ−２３２を使用してＲｍインタフェースを介してＭＴ２装置１０４のＥＩＡ−２３２互換ポートに送信する。ＰＰＰプロトコルはＲＦＣ  １６６１（Ｒｅｑｕｅｓｔ  ｆｏｒ  Ｃｏｍｍｅｎｔ）の表題“ＰＰＰプロトコル”に詳細が記載されている、この内容も本明細書に引用文献として組みこまれており、また以下に簡単に述べる。
【００１４】
ＭＴ２装置１０４のＥＩＡ−２３２は、ＰＰＰパケットをＲＬＰ（Ｒａｄｉｏ  Ｌｉｎｋ  Ｐｒｏｔｏｃｏｌ）に送信し、その後ＩＳ−９５プロトコル２１４に送信して、Ｕｍインタフェースを介してＢＳ／ＭＳＣ  １０６に送信する。ＲＬＰプロトコル２１２はＩＳ−７０７．２に規定されており、またＩＳ−９５プロトコルは前述のＩＳ−９５に規定されている。ＢＳ／ＭＳＣ１０６の相補的リレー層プロトコルスタックは、ＲＬＰ層２１６とＩＳ−９５層２１８を含み、Ｕｍインタフェースを介してＰＰＰパケットを受信し、それをＭＴ２リレー層プロトコル２２０に送って、ＩＷＦリレー層プロトコル２２８にＬインタフェースする。ＭＴ２リレー層プロトコル２２０とＩＷＦリレー層プロトコル２２８は、ＴＩＡ／ＥＩＡ  ＩＳ−６５８の表題“広帯域スペクトル拡散ディジタルセルラシステムの対するデータサービス相互作用機能インタフェース標準”に記載されている、この標準も本明細書に引用文献として組みこまれている。
【００１５】
ＩＷＦのリンク層内のＰＰＰプロトコル２２６は、ＴＥ２装置１０２からのＰＰＰパケットを復号し、ＴＥ２装置１０２とＩＷＦ１０８間のＰＰＰコネクションを終了させる。復号されたパケットは、ＰＰＰプロトコル２２６からＩＷＦ１０８のネットワーク層プロトコル２２４内のＩＰプロトコルに達して検査され、さらにＩＰパケットヘッダ内のＴＥ２装置１０２で指定されたＩＰアドレスにルーティングされる（即ちこの場合、に対するＩＰアドレス）。ＴＣＰのような、ＩＷＦ１０８で実行すべき上位層プロトコルタスクが存在する場合は、それらは上位層プロトコル２２２により実行される。
【００１６】
ＴＥ２装置１０２で発生したＩＰパケットの最終宛先がＩＷＦ１０８でないと仮定すると、パケットはネットワーク層プロトコル２２４、ＩＷＦ１０８のリンク層プロトコル２２７を通して、インターネット上の次のルータ（図示なし）に転送される。このようにして、ＴＥ２装置からのＩＰパケットは、ＭＴ２装置１０４、ＢＳ／ＭＳＣ１０６を介して通信され、ＩＷＦ１０８はインターネット上の最終の意図する宛先に向かい、それにより、ＩＳ−７０７．５標準リレーモデルに準拠してＴＥ２装置１０２にワイヤレスパケットデータサービスを提供する。
【００１７】
しかし、ＴＥ２装置１０２パケットが宛先に到達する前に、データリンクコネクションが最初に確立されることが必要である。ＲＦＣ  １６６１に規定されるように、これにはポイント・ツー・ポイントの各端（即ち、ＴＥ２のＰＰＰプロトコル２０６とＩＷＦのＰＰＰプロトコル２０６）を最初にＰＰＰリンク制御プロトコル（ＬＣＰ）パケットに送り、データリンクを確立し、構成し、また試験する。ＬＣＰ、ＰＰＰプロトコル２０６によりリンクが確立された後、ＮＣＰ（ネットワーク制御プロトコル）パケットを送り、ネットワーク層プロトコルを構成する（即ち、ＴＥ２のＩＰプロトコルとＩＷＦのＩＰプロトコル２２４）。ネットワーク層プロトコルの各々が構成された後、それらの間のリンクを介して各ネットワーク層プロトコルからのパケットを送ることができる。
【００１８】
ＰＰＰリンクのＩＰに対するＮＣＰは、ＩＰ制御プロトコル（ＩＰＣＰ）である。ＩＰＣＰはＲＦＣ  １３３２（Ｒｅｑｕｅｓｔ  ｆｏｒ  Ｃｏｍｍｅｎｔ）の表題“ＰＰＰインターネットプロトコル制御プロトコル（ＩＰＣＰ）（１９９２年５月発行）に詳細に記載されている、これも本明細書に引用文献として組みこまれている。ＩＰＣＰはＴＥ２  ＩＰプロトコル２０４とＩＷＦ  ＩＰプロトコル２２４の両方を構成し、また有効および無効にする役割を果たす、この両方のプロトコルはポイント・ツー・ポイントのどちらの端でも動作する。
【００１９】
ＩＰＣＰは、ＩＰアドレス構成オプションを含む構成要求メッセージを使用する。構成オプション部分は、構成−要求の送信側（ここではＴＥ２装置１０２）で使用されるＩＰアドレスを決めるメカニズムを提供する。特にＩＰアドレス構成オプションにより、構成−要求の送信側は、ＩＰアドレスを提供するか、またはピア（この場合は、ＩＷＦ１０８）がダイナミックＩＰアドレスを送信側に提供することを要求するかのどちらかで、希望するＩＰアドレスを指定できる。構成−要求の送信側がＩＰアドレス構成オプションのＩＰアドレスフィールドをすべてゼロに設定すると、ピアは、構成−ＮＡＫをオプションに送出し、有効なＩＰアドレスを返すことによりダイナミックＩＰアドレスを提供する。一方、構成−要求の送信側がＩＰアドレスフィールド内のアドレスを指定する場合は、ピアは、構成−ＡＣＫをオプションに送出することにより特定ＩＰアドレスが許容できることを指定できる。
【００２０】
代替方法としては、図３（従来技術）は、ＩＳ−７０７．５ネットワークモデルの各エンティティのプロトコルスタックの図であり、標準規格の図１．４．２．２−１とほぼ同一である。ＴＥ２装置１０２、ＢＳ／ＭＳＣ  １０６およびＩＷＦ  １０８のプロトコルフローとメカニズムが、図２で述べたリレーモデルに含まれるものと類似であることから、参照符号は同一としている。ＭＴ２装置１０４がパケット移動性管理とネットワークアドレス管理の役割を果たすことができる状態をネットワークモデルが表すため、ＭＴ２装置１０４は追加プロトコルレベルを含む。例えば、ＥＩＡ−２３２プロトコル２１０を介してＴＥ２デバイス１０２からＰＰＰパケットを受信後、パケットはＰＰＰＵ層３０２に送られ、そこでアンフレーミングされる。次にパケットはＩＰ層３０４に転送される。ＩＷＦ  １０８に宛てられているパケットについては、パケットＰＰＰＲ層３０６に戻り、そこでリフレーミングされる。この状態におけるリレーモデルでのパケットと同様に、次にパケットはＲＬＰ（無線リンクプロトコル）２１２に送られ、その後ＩＳ−９５プロトコル２１４に送られて、Ｕｍインタフェースを介してＢＳ／ＭＳＣ  １０６に送信される。
【００２１】
前述のように、ＩＳ−９５標準は、広帯域スペクトル拡散ワイヤレス通信に対する一般仕様を提供する。ＩＳ−７０７．５標準は、ＴＥ２装置１０２とＩＷＦ  １０８間のリンクの通信プロトコルに対する必要条件を提供しており、Ｒｍ、ＵｍおよびＬインタフェースを含む。さらに、上に示すように、ＲＦＣ  １６６１は、ポイント・ツー・ポイントデータリンクを確立、構成および検査するための標準を規定している。またＲＦＣ  １３３１は、ポイント・ツー・ポイントリンクのＴＥ２  １０２側とＩＷＦ  １０８側の両方に対してＩＰを確立、構成するＰＰＰ−ＩＰＣＰ標準を規定している。このように、ＩＳ−９５、ＩＳ−７０７．５、ＲＦＣ  １６６１およびＲＦＣ  １３３１により提供される標準とプロトコルは、ＲＦＣ  ２００２に規定される移動ＩＰサービスの機能に細部まで適合し、またそれを十分にサポートする。
【００２２】
このことから、これらの標準またはプロトコル、および移動ＩＰ  ＲＦＣ  ２００２は、移動端末がネットワークの接続点を移動したときに、移動端末またはＴＥ２装置１０２が適正な機能を発揮することを保証するものではない。特に、ラップトップのような移動端末が最初にそれのホームネットワーク以外のネットワーク（即ち外部ネットワーク）に接続を試みるとき、ＲＦＣ  ２００２はラップトップが移動ＩＰノード登録手順を呼出す方法を提供して、ラップトップのホームネットワークに当てられたデータが外部ネットワーク接続点にルーティングして戻されることを保証する。しかし、ラップトップが、その最初の外部ネットワーク接続点の土地境界を越えて移動する場合、ラップトップが、それ自体移動したことを認識される保証はない。実際、ラップトップが新しい接続点に移動したことを認識する装置はＭＴ２装置１０４だけであり、この場合ＭＴ装置１０４は、ＩＳ−９５ネットワークからの信号トラフィックを通してこのネットワーク移動情報を認識することになる。このネットワーク情報は当技術分野では既知であり、前述のＴＩＡ／ＥＩＡ  ＩＳ−９５標準に規定されている。ＩＳ−９５を詳細に論議すべきではないが、ネットワーク移動の情報−関係信号の特定の例は、音声−ゾーン登録、パケット−ゾーン識別、システムＩＤ変更、ネットワークＩＤ変更、ＰＰＰパケット再同期化等を含む。
【００２３】
必要なものは、移動局またはワイヤレス通信装置（即ちＭＴ２装置１０４）を利用して移動端末装置（即ちＴＥ２装置）を自動的にトリガすることにより、移動ＩＰ登録手順を再起動し、また関連外部ネットワーク接続点情報を用いて端末とホームエージェントを更新する方法とシステムである。
【００２４】
（発明の概要）
本発明は、端末装置が現在のネットワーク範囲の外に移動したときに、ワイヤレス通信装置が端末装置を自動的に呼出して、移動ＩＰノード登録を実行できるシステムと方法を提供することにより、前述の要求に対処するものである。
【００２５】
本明細書で具体化され、また一般に記載される本発明の原理によるシステムと方法は、パケット型データを送信および受信する端末装置と、その端末装置に接続された通信装置を含む。通信装置は、ＩＰアドレス要求に含まれるインターネットプロトコル（ＩＰ）アドレスに対するパケット型データを監視する。ＩＰアドレス要求がスタティックＩＰアドレスに対するものである場合、通信装置はネットワーク移動情報を待つ。受信されたネットワーク移動情報を基にして、通信装置はネットワークアドレス情報を要請する。ネットワークアドレス情報を受信すると、端末装置は移動ノード登録を開始する。結果的に、端末装置がそのネットワーク接続点を変更するたびに、移動ノード登録は自動的に呼出される。
【００２６】
本明細書の一部に組み込まれ、またそれを構成している添付図面は、本発明の実施形態を示しており、さらに記述と合わせて、本発明の目的、利点および原理を説明している。
【００２７】
（好ましい実施形態の詳細な説明）
本発明の以下の詳細な説明は、本発明による好ましい実施形態を示す添付図面を引用する。他の実施形態も可能であり、また本発明の精神と範囲から逸脱することなく、各種変更も可能である。したがって、以下の詳細な説明は本発明を制限するものではない。本発明の範囲は添付の特許請求の範囲で限定される。
【００２８】
移動ＩＰプロトコルにより、移動ノード（例えばコンピュータホストまたはルータ）は１つのネットワークから別のネットワークのそのＩＰ接続点を変更できる。移動するＩＰノードは、その（固定）ＩＰホームアドレスを変更せずに位置を変更できる。本発明では、ＴＥ２装置１０２、ＭＴ２  １０４およびＩＷＦ  １０８間の通信を制御する移動ＩＰプロトコル並びに他のプロトコルおよび標準を利用して、リンク層接続を維持するためにＴＥ２が移動ノード登録を再起動するかどうか、およびその再起動する時を自動的に決定する。この方法により、移動ＩＰノードは任意の位置で他のＩＰノードと通信を継続できる。
【００２９】
本発明は、データサービス使用可能装置のユーザに対し、シームレスかつトランスペアレントな移動をサポートするものである。したがって、本発明の好ましい実施形態は、移動ＩＰサポート機能を内蔵するＴＥ２とＭＴ２装置１０２、１０４を含む。
【００３０】
以下に述べる本発明は、図に示すエンティティの各々（即ち、ＴＥ２装置１０２、ＭＴ２装置１０４、ＢＳ／ＭＳＣ  １０６およびＩＷＦ  １０８）においてソフトウェア、ファームウェアおよびハードウェアの多くの異なる実施形態で可能であることは、当業者には明らかであろう。例えば、ＴＥ２装置１０２は、移動ＩＰ準拠のソフトウェア命令を実行する処理ユニットを持つラップトップコンピュータであってもよい。同様に、ＭＴ２装置１０４は、ＴＥ２装置１０２情報と通信ネットワーク情報を処理する処理ユニットであってもよい。本発明を実施するのに使用する実際のソフトウェアコードまたは制御ハードウェアは、本発明を制限するものではない。したがって、本発明の動作と性能を、実際のソフトウェアまたはハードウェアコンポーネントに特定的に関連付けずに説明する。当業者には、ここでの説明を基に本発明の好ましい実施形態を実施するソフトウェアと制御ハードウェアを設計できるであろう。
【００３１】
図４は本発明のＭＴ２装置１０４の動作の高レベル状態図である。ＭＴ２装置１０４は“新しいデータコールを待つ”状態４１０から開始する。状態４１０では、ＭＴ２装置１０４は現在コール状態ではなく、ＴＥ２装置１０２がコールを発生するのを待つ。この状態では、移動終了コール（即ち、ＭＴ２装置１０４が被呼側である場合）は考慮されない、なぜならそれらはＭＴ２装置１０４がＩＰアドレスをすでに割当てられているか、またはすでに移動ＩＰを登録されているかのどちらかであるからである。
【００３２】
ＴＥ２装置１０２がＰＰＰパケットをＮＴ２装置１０４に送出するとき、ＲＦＣ  １６６１に準拠して、ＭＴ２  １０４装置はそれをパケットデータコールを確立する意図と解釈し、データコールを始動する。このデータコールは、ＭＴ２  １０４装置を“ＴＥ２  ＩＰＣＰ構成要求を待つ”状態４２０に移行する。
【００３３】
状態４２０では、ＭＴ２装置１０４は、ＲＦＣ  １３３２の規定に従いＴＥ２装置１０２がＩＰアドレス交渉プロセスを開始するのを待つ。ＴＥ２装置１０２がＩＰアドレスの構成要求メッセージを送ると、ＭＴ２装置１０４は“ＩＰＣＰアドレス要求の検査”状態４３０に移行する。ＴＥ２装置１０２で要求されたアドレスがダイナミックアドレスである（即ち、ＩＰアドレスがすべてゼロ）場合、ＴＥ２装置１０２による移動ＩＰサポートの要求は存在せず、ＭＴ２装置１０４は“コール終了を待つ”状態４７０に移行する。この状態では、コールが終了するまで、ＭＴ２装置１０４は基本的にはすべてを無視する。コールが終了すると、ＭＴ２装置１０４は状態４１０に移行して戻り、新しいコールを待つ。
【００３４】
ＴＥ２装置１０２から送られた構成−要求のＩＰアドレスフィールドが、特定またはスタティック（即ち非ゼロ）ＩＰアドレスを含む場合、ＭＴ２装置１０４は“ＩＷＦ  ＩＰＣＰ  構成−ＡＣＫ／ＲＥＪを待つ”状態４４０に移行する。
【００３５】
状態４４０では、ＭＴ２装置１０４はＩＰＣＰパケットを検査して、その応答が構成−要求に対するものであるか、即ちＴＥ２装置１０２で発生したスタティックＩＰアドレス要求が構成−ＡＣＫによりＩＷＦ  １０８で受取られたかどうかを決定する。ＴＥ２装置１０２で発生したスタティックＩＰアドレス要求がＩＷＦ１０８で否定される場合は、ＭＴ２装置１０４は状態４７０に移行して戻る、なぜならＴＥ２装置が要求されたアドレスを与えられないために、コールは移動ＩＰコールでありえないからである。このように、ＭＴ２装置１０４はすべての移行を全く無視し、コールが終了するのを待つ。ＴＥ２装置１０２で発生したスタティックＩＰアドレス要求がＩＷＦ  １０８で受取られる場合は、ＭＴ２装置１０４は、これが移動ＩＰデータコールであり、また“移動の表示を待つ”状態４５０への移行であることを確認する。
【００３６】
状態４５０では、ＭＴ２装置１０４は、ＴＥ２装置１０２が前のネットワーク接続点から移動したことを示す、ネットワークによる表示を待つ。上の状態では、このネットワーク移動情報はＩＳ−９５ネットワークから信号トラフィックを通して引出される。ＴＥ２装置１０２が移動した（即ちネットワークを変更した）ことを示す、ネットワークによる表示をＭＴ２装置１０４が受取ると、ＭＴ２装置１０４は“エージェント勧誘を送る”状態４６０に移行する。
【００３７】
状態４６０では、ＭＴ２装置１０４は勧誘メッセージを、移動ＩＰ  ＲＦＣ  ２００２に示される内容に準じて、デフォルトのエージェント広告メカニズムを利用する有効な外部エージェントに送る。状態４６０のフィードバック移行矢印で示されるように、この勧誘メッセージの送出を数回繰返し、不注意による見落としを防止し、外部エージェントで確実に受取られるようにできる。
【００３８】
ＭＴ２装置１０４が勧誘メッセージを送るようにすることにより、本発明は、メッセージを受取るとすぐに外部ネットワークのケア・オブ・アドレスを持つ広告メッセージをＴＥ２装置１０２  ＩＰアドレスに送出することをトリガして、外部エージェントとしての移動ＩＰインフラストラクチャの利点を得る。ＦＲＣ  ２００２に準拠して、ＴＥ２装置１０２は、ケア・オブ・アドレスが変化し、またＩＰアドレスを再トリガしなくてはならないことを認識する。例えば、ＴＥ２装置１０２は、それのホームネットワークに戻ったことを確認すると、ＴＥ２装置は、外部エージェントを用いて移動ＩＰノード再登録手順を起動する。しかし、ＴＥ２装置１０２が“新しい”外部ネットワークを検出すると、移動ＩＰノード再登録手順を再起動して進行し、最終的に新しい外部ネットワークのケア・オブ・アドレスを確立する。
【００３９】
したがって、本発明は、ＴＥ２装置１０２端末装置が現在のネットワーク接続点の範囲の外に移動したときに、ＭＴ２装置１０４を利用してＴＥ２装置１０２を自動的にトリガし、移動ＩＰノード登録手順を再起動するシステムと方法を提供する。
【００４０】
本発明の好ましい実施形態の前述の説明は、例示と説明を提供するものであり、本発明を開示された詳細な形態に制限するものではない。
【００４１】
各種の修正と変更が前述の内容に矛盾せずに可能であり、または本発明の実施から各種の修正と変更を得ることができる。本発明の範囲は、特許請求範囲とそれらの均等物により限定される。
【図面の簡単な説明】
【図１】  従来技術によるワイヤレス通信システムの高レベルのブロック図であり、ワイヤレス通信装置を介して端末装置がインターネットに接続されている。
【図２】  従来技術による、ＴＩＡ／ＥＩＡ  ＩＳ−７０７．５リレーモデルの各エンティティのプロトコルスタックを概略的に示す。
【図３】  従来技術による、ＩＳ−７０７．５ネットワークモデルの各エンティティのプロトコルスタックを概略的に示す。
【図４】  本発明の実施形態の動作を示す高レベル状態図である。
【符号の説明】
１０２…移動端末装置  １０４…ワイヤレス通信装置  １０６…基地局移動交換機センター  １０８…相互作用機能  ２０２…上位層プロトコル  ２０４…ネットワーク層プロトコル  ２０６…リンク層プロトコル  ２０８…リレー層プロトコル  ２２０…リレー層プロトコル  ２２２…上位層プロトコル  ２２４…ネットワーク層プロトコル  ２２５…リンク層プロトコル
【図１】
0004522590.tif 000002
【図２】
0004522590.tif 000003
【図３】
0004522590.tif 000004
【図４】
0004522590.tif 000005